(57)【要約】【課題】映像録画装置のコマンドインターフェースを考慮することなく、遠隔地から録画指示することのできる番組録画システムを提供する。【解決手段】データ放送のコンテンツには、放送されるテレビ番組の番組データが含まれ、携帯電話２で所定の操作を行うと、データ放送に含まれる番組データが記述された番組メール６０がサーバ３へ送信される。サーバ３は、携帯電話２のメールアドレスに関連付けて、映像録画装置５のコマンドインターフェース、及び、映像録画装置５のメールアドレスなどが記述されたプロファイルを記憶し、番組メール６０を送信した携帯電話２に対応するプロファイルに従い、番組メール６０の番組データから、映像録画装置５のコマンドインターフェースに適合した電文が記述された録画指示メール６１を生成し、映像録画装置５に送信する。映像録画装置５は、録画指示メール６１に従いテレビ番組を録画する。【選択図】図２
2008153872.tif 000002
【特許請求の範囲】
【請求項１】
地上波デジタル放送の一つのサービスであるワンセグを利用した番組録画システムであって、前記番組録画システムは、ネットワークを利用してデータ通信する手段を有しワンセグを受信する携帯型受信機と、前記携帯型受信機のユーザが所持する映像録画装置と、テレビ番組の録画指示を映像録画装置へ送信するサーバとから、少なくとも構成され、前記携帯型受信機は、ワンセグのテレビ番組を受信中に所定の操作が実行されたとき、ワンセグの放送からテレビ番組を特定する番組データを取得する手段と、取得した前記番組データを記述した第１の電子メールを生成し、前記第１の電子メールを前記携帯型受信機の通信経由で前記サーバに送信する手段を備え、前記サーバは、前記映像録画装置に設定されたアドレスと、遠隔地から録画の指示するときの前記映像録画装置のコマンドインターフェースとを含む前記映像録画装置のプロファイルを、前記携帯型受信機のメールアドレスに関連付けて記憶したデータベースを有し、前記携帯型受信機から前記第１の電子メールを受信したとき、前記データベースに記憶され、前記第１の電子メールを送信した前記携帯型受信機に対応する前記プロファイルを検索し、検索した前記プロファイルに従い、前記第１の電子メールに含まれる前記番組データから、前記コマンドインターフェースに適合し、前記番組データで特定されるテレビ番組を録画するための電文を生成する手段と、生成した前記電文を所定の方式で前記映像録画装置へ送信する手段とを備えていることを特徴とする番組録画システム。
【請求項２】
請求項１に記載の番組録画システムであって、ワンセグのデータ放送のコンテンツには、前記番組データと共に、前記番組データを取得するためのスクリプトがＢＭＬ(Broadcast Markup Language)で記述され、前記携帯型受信機は前記番組データを取得する手段としてＢＭＬブラウザ２０を備え、ＢＭＬブラウザが前記スクリプトを解釈・実行することで、ワンセグの放送から前記番組データを取得することを特徴とする番組録画システム。
【請求項３】
請求項１または請求項２に記載の番組録画システムであって、前記携帯型受信機は、前記映像録画装置の録画モードを示す録画モードデータを記憶し、前記第１の電子メールには、ワンセグの放送から取得した前記番組データに加え、前記録画モードデータを記述し、前記サーバは、前記番組データで特定されるテレビ番組を、前記録画モードデータで指定される録画モードで録画するための前記電文を生成することを特徴とする番組録画システム。
【請求項４】
請求項１から請求項３のいずれかひとつに記載の番組録画システムであって、前記サーバは、前記映像録画装置に設定されたアドレスとして、前記映像録画装置に設定されたメールアドレスを記憶し、前記電文を第２の電子メールで前記映像録画装置へ送信することを特徴とする番組録画システム。
【請求項５】
地上波デジタル放送の一つのサービスであるワンセグを利用した番組録画方法であって、前記番組録画方法は、ワンセグを受信する携帯型受信機が、ワンセグの放送からテレビ番組を特定する番組データを取得するステップａ）、
前記携帯型受信機が取得した前記番組データが記述された第１の電子メールを前記携帯型受信機の通信経由でサーバに送信するステップｂ）、
前記サーバが、映像録画装置に設定されたアドレスと、遠隔地から録画指示するときの前記映像録画装置のコマンドインターフェースとを含む前記映像録画装置のプロファイルを、前記携帯型受信機のメールアドレスに関連付けて記憶したデータベースの中から、前記第１の電子メールを送信した前記携帯型受信機に対応する前記プロファイルを検索し、検索した前記プロファイルに従い、前記第１の電子メールに含まれる前記番組データから、前記コマンドインターフェースに適合し、前記番組データで特定されるテレビ番組を録画するための電文を生成するステップｃ）、
前記サーバが、前記ステップｃ）で生成した前記電文を所定の方式で前記映像録画装置のアドレスへ送信するステップｄ）、
が順に実行されることを特徴とする番組録画方法。
【請求項６】
請求項５発明に記載の番組録画方法であって、ワンセグのデータ放送のコンテンツには、前記番組データと共に、前記番組データを取得するためのスクリプトが、ＢＭＬ(Broadcast Markup Language)で記述され、前記ステップａ）では、前記携帯型受信機に備えられたＢＭＬブラウザが前記スクリプトを解釈・実行することで、ワンセグの放送から前記番組データを取得することを特徴とする番組録画方法。
【請求項７】
請求項５または請求項６に記載の番組録画システムであって、前記携帯型受信機は、前記映像録画装置の録画モードを示す録画モードデータを記憶し、前記ステップｂ）において前記携帯型受信機は、前記第１の電子メールに、ワンセグの放送から取得した前記番組データに加え、前記録画モードデータを記述し、ステップｃ）において前記サーバは、前記番組データで特定されるテレビ番組を、前記録画モードデータで指定される録画モードで録画するための前記電文を生成することを特徴とする番組録画方法。
【請求項８】
請求項５から請求項７のいずれかひとつに記載の番組録画システムであって、前記サーバに備えられた前記データベースに記憶された前記映像録画装置のアドレスはメールアドレスであって、前記ステップｄ）において前記サーバは、前記電文を第２の電子メールで前記映像録画装置のメールアドレスへ送信することを特徴とする番組録画方法。
【請求項９】
映像録画装置に録画の指示を遠隔地から行うときに利用されるサーバであって、前記映像録画装置に設定されたアドレスと、遠隔地から録画指示するときの前記映像録画装置のコマンドインターフェースとを含む前記映像録画装置のプロファイルを、前記携帯型受信機のメールアドレスに関連付けて記憶したデータベースを有し、ワンセグの放送を受信する携帯型受信機から、テレビ番組を特定する番組データが記述された第１の電子メールを受信したとき、前記データベースに記憶され、前記第１の電子メールを送信した前記携帯型受信機に対応する前記プロファイルを検索し、検索した前記プロファイルに従い、前記第１の電子メールに含まれる前記番組データから、前記コマンドインターフェースに適合し、前記番組データで特定されるテレビ番組を録画するための電文を生成する手段、生成した前記電文を所定の方式で前記映像録画装置へ送信する手段とを備えていることを特徴とするサーバ。
【請求項１０】
請求項９に記載のサーバであって、前記携帯型受信機から送信される前記第１の電子メールには、前記番組データに加え、前記映像録画装置の録画モードを示す録画モードデータが含まれ、前記サーバは、前記番組データで特定されるテレビ番組を、前記録画モードデータで指定される録画モードで録画するための前記電文を生成することを特徴とするサーバ。
【請求項１１】
請求項９または請求項１０に記載のサーバであって、録画指示の電文を第２の電子メールで前記映像録画装置のメールアドレスへ送信することを特徴とするサーバ。
【発明の詳細な説明】
【技術分野】
【０００１】
発明は、遠隔地からハードディスクレコーダなどの映像録画装置にテレビ番組の録画を指示する技術に関し、更に詳しくは、地上波デジタル放送の一つのサービスであるワンセグを利用し、映像録画装置にテレビ番組の録画を指示する技術に関する。
【背景技術】
【０００２】
テレビ番組を録画する映像録画装置として、ビデオデッキやハードディスクレコーダが広く普及している。
【０００３】
従来、映像録画装置に希望するテレビ番組を録画するときは、映像録画装置の付属品であるリモコンを用いて、新聞や雑誌に掲載されるテレビ番組表に記述されたＧコードを入力するなどして、映像録画装置に希望するテレビ番組の録画を指示していたが、ネットワークの普及により、遠隔地から映像録画装置に録画を指示する試みがなされている。
【０００４】
特に近年では、地上波デジタルが普及し、ワンセグのサービスを利用し、携帯電話などの携帯端末を用いて外出先でテレビ番組を視聴する機会が増え、ワンセグで視聴しているテレビ番組を家庭に設置された大画面のテレビで閲覧したいときや、ワンセグの電波の届かない場所に行く必要があるときなど、遠隔地から映像録画装置に録画を指示する機会が増えている。
【０００５】
遠隔地から映像録画装置に録画指示する発明として、例えば、特許文献１においては、ユーザが所望の番組を確実に視聴できるようにし得るために、ユーザが視聴を希望するテレビ番組の放送開始を通知すると共に、所定の映像録画装置に対して視聴を希望するテレビ番組の録画命令を送信する放送通知装置が開示されている。
【０００６】
また、特許文献２では、ワンセグ受信機能を備えた携帯電話などの携帯端末において、放送電波を十分な強度で確保できなくなったことを検知した場合、視聴中の番組に関する情報を基に録画を指示する電文を生成し、生成した電文をホームサーバ装置に送信し、ホームサーバ装置は、受信した電文に従って視聴中であった放送を録画する遠隔録画システムが開示されている。
【特許文献１】特開２００１−１１９６８１号公報
【特許文献２】特開２００６−７４３８５号公報
【発明の開示】
【発明が解決しようとする課題】
【０００７】
しかしながら、遠隔地から映像録画装置に録画指示するために映像録画装置へ送信する電文の書式、すなわち、映像録画装置のコマンドインターフェースは、複雑、かつ、映像録画装置のメーカごとに異なるため、電子メールなどで遠隔地から録画指示することは大変面倒な作業であった。
【０００８】
そこで、本発明は、携帯電話などの携帯端末を用いて、ユーザがワンセグのテレビ番組を視聴しているときに、視聴しているテレビ番組に関連するテレビ番組を、映像録画装置のコマンドインターフェースを考慮することなく、遠隔地から録画指示することのできる番組録画システム、番組録画方法、及び、映像録画装置に録画の指示を遠隔地から行うときに利用するサーバを提供することを目的とする。
【課題を解決するための手段】
【０００９】
上述した課題を解決する第１の発明は、地上波デジタル放送の一つのサービスであるワンセグを利用した番組録画システムであって、前記番組録画システムは、ネットワークを利用してデータ通信する手段を有しワンセグを受信する携帯型受信機と、前記携帯型受信機のユーザが所持する映像録画装置と、テレビ番組の録画指示を映像録画装置へ送信するサーバとから、少なくとも構成され、前記携帯型受信機は、ワンセグのテレビ番組を受信中に所定の操作が実行されたとき、ワンセグの放送からテレビ番組を特定する番組データを取得する手段と、取得した前記番組データを記述した第１の電子メールを生成し、前記第１の電子メールを前記携帯型受信機の通信経由で前記サーバに送信する手段を備え、前記サーバは、前記映像録画装置に設定されたアドレスと、遠隔地から録画の指示するときの前記映像録画装置のコマンドインターフェースとを含む前記映像録画装置のプロファイルを、前記携帯型受信機のメールアドレスに関連付けて記憶したデータベースを有し、前記携帯型受信機から前記第１の電子メールを受信したとき、前記データベースに記憶され、前記第１の電子メールを送信した前記携帯型受信機に対応する前記プロファイルを検索し、検索した前記プロファイルに従い、前記第１の電子メールに含まれる前記番組データから、前記コマンドインターフェースに適合し、前記番組データで特定されるテレビ番組を録画するための電文を生成する手段と、生成した前記電文を所定の方式で前記映像録画装置へ送信する手段とを備えていることを特徴とする。
【００１０】
第１の発明の構成によれば、前記番組データから、前記番組データで特定されるテレビ番組を録画するための電文を、前記映像録画装置の前記コマンドインターフェースに適合した形式で生成し、生成した前記電文を前記映像録画装置へ送信するサーバを設けることで、前記携帯型受信機を所持するユーザは、前記映像録画装置のコマンドインターフェースを考慮することなく、遠隔地から録画指示することができる。
【００１１】
更に、ユーザが前記携帯型受信機で所定の操作を行うことで、ワンセグの放送から前記番組データが取得されるため、ユーザが前記番組データを入力する手間を省くことができる。
【００１２】
なお、本発明において、前記携帯型受信機とは、ワンセグチューナを内蔵した携帯電話、無線通信手段を備え、ワンセグチューナを内蔵したＰＤＡ（Personal Digital Assistants）などを意味する。
また、前記映像録画装置とは、ネットワーク接続が可能で、遠隔地から録画指示可能なハードディスクレコーダやビデオレコーダなどを意味する。
【００１３】
更に、第２の発明は、第１の発明に記載の番組録画システムであって、ワンセグのデータ放送のコンテンツには、前記番組データと共に、前記番組データを取得するためのスクリプトがＢＭＬ(Broadcast Markup Language)で記述され、前記携帯型受信機は前記番組データを取得する手段としてＢＭＬブラウザを備え、ＢＭＬブラウザが前記スクリプトを解釈・実行することで、ワンセグの放送から前記番組データを取得することを特徴とする。
【００１４】
第２の発明の構成によれば、前記携帯型受信機がＢＭＬブラウザを備えることで、ワンセグのテレビ番組に加え、ワンセグのデータ放送のコンテンツを表示でき、更に、ユーザが所定の操作を行うときの操作ボタンなどを前記携帯型受信機の画面に設定することができるようになる。
【００１５】
更に、第３の発明は、第１の発明または第２の発明に記載の番組録画システムであって、前記携帯型受信機は、前記映像録画装置の録画モードを示す録画モードデータを記憶し、前記第１の電子メールには、ワンセグの放送から取得した前記番組データに加え、前記録画モードデータを記述し、前記サーバは、前記番組データで特定されるテレビ番組を、前記録画モードデータで指定される録画モードで録画するための前記電文を生成することを特徴とする。
【００１６】
第３の発明の構成によれば、前記映像録画装置でテレビ番組を録画するときの録画モードをユーザが指定できるようになる。
【００１７】
更に、第４の発明は、第１の発明から第３の発明のいずれかひとつに記載の番組録画システムであって、前記サーバは、前記映像録画装置に設定されたアドレスとして、前記映像録画装置に設定されたメールアドレスを記憶し、前記電文を第２の電子メールで前記映像録画装置へ送信することを特徴とする。
【００１８】
第４の発明によれば、前記電文を第２の電子メールで前記映像録画装置へ送信することで、前記サーバが前記映像録画装置に電文を送信する仕組みを簡素化することができる。
【００１９】
更に、第５の発明は、地上波デジタル放送の一つのサービスであるワンセグを利用した番組録画方法であって、前記番組録画方法は、ワンセグを受信する携帯型受信機が、ワンセグの放送からテレビ番組を特定する番組データを取得するステップａ）、
前記携帯型受信機が取得した前記番組データが記述された第１の電子メールを前記携帯型受信機の通信経由でサーバに送信するステップｂ）、
前記サーバが、映像録画装置に設定されたアドレスと、遠隔地から録画指示するときの前記映像録画装置のコマンドインターフェースとを含む前記映像録画装置のプロファイルを、前記携帯型受信機のメールアドレスに関連付けて記憶したデータベースの中から、前記第１の電子メールを送信した前記携帯型受信機に対応する前記プロファイルを検索し、検索した前記プロファイルに従い、前記第１の電子メールに含まれる前記番組データから、前記コマンドインターフェースに適合し、前記番組データで特定されるテレビ番組を録画するための電文を生成するステップｃ）、
前記サーバが、前記ステップｃ）で生成した前記電文を所定の方式で前記映像録画装置のアドレスへ送信するステップｄ）、
が順に実行されることを特徴とする。
【００２０】
更に、第６の発明は、第５発明に記載の番組録画方法であって、ワンセグのデータ放送のコンテンツには、前記番組データと共に、前記番組データを取得するためのスクリプトが、ＢＭＬ(Broadcast Markup Language)で記述され、前記ステップａ）では、前記携帯型受信機に備えられたＢＭＬブラウザが前記スクリプトを解釈・実行することで、ワンセグの放送から前記番組データを取得することを特徴とする。
【００２１】
更に、第７の発明は、第５の発明または第６の発明に記載の番組録画システムであって、前記携帯型受信機は、前記映像録画装置の録画モードを示す録画モードデータを記憶し、前記ステップｂ）において前記携帯型受信機は、前記第１の電子メールに、ワンセグの放送から取得した前記番組データに加え、前記録画モードデータを記述し、ステップｃ）において前記サーバは、前記番組データで特定されるテレビ番組を、前記録画モードデータで指定される録画モードで録画するための前記電文を生成することを特徴とする。
【００２２】
更に、第８の発明は、第５の発明から第７の発明のいずれかひとつに記載の番組録画システムであって、前記サーバに備えられた前記データベースに記憶された前記映像録画装置のアドレスはメールアドレスであって、前記ステップｄ）において前記サーバは、前記電文を第２の電子メールで前記映像録画装置のメールアドレスへ送信することを特徴とする。
【００２３】
上述した第５の発明から第８の発明によれば、上述した第１の発明から第４の発明と同様の効果が得られる。
【００２４】
更に、第９の発明は、映像録画装置に録画の指示を遠隔地から行うときに利用されるサーバであって、前記映像録画装置に設定されたアドレスと、遠隔地から録画指示するときの前記映像録画装置のコマンドインターフェースとを含む前記映像録画装置のプロファイルを、前記携帯型受信機のメールアドレスに関連付けて記憶したデータベースを有し、ワンセグの放送を受信する携帯型受信機から、テレビ番組を特定する番組データが記述された第１の電子メールを受信したとき、前記データベースに記憶され、前記第１の電子メールを送信した前記携帯型受信機に対応する前記プロファイルを検索し、検索した前記プロファイルに従い、前記第１の電子メールに含まれる前記番組データから、前記コマンドインターフェースに適合し、前記番組データで特定されるテレビ番組を録画するための電文を生成する手段、生成した前記電文を所定の方式で前記映像録画装置へ送信する手段とを備えていることを特徴とする。
【００２５】
更に、第１０の発明は、第９の発明に記載のサーバであって、前記携帯型受信機から送信される前記第１の電子メールには、前記番組データに加え、前記映像録画装置の録画モードを示す録画モードデータが含まれ、前記サーバは、前記番組データで特定されるテレビ番組を、前記録画モードデータで指定される録画モードで録画するための前記電文を生成することを特徴とする。
【００２６】
更に、第１１の発明は、第９の発明または第１０の発明に記載のサーバであって、録画指示の電文を第２の電子メールで前記映像録画装置のメールアドレスへ送信することを特徴とする。
【００２７】
第９の発明から第１１の発明は、第１の発明から第４の発明に記載の番組録画システムを実現するために必要となるサーバである。
【発明の効果】
【００２８】
上述した本発明によれば、携帯電話などの携帯端末を用いて、ユーザがワンセグのテレビ番組を視聴しているときに、視聴しているテレビ番組に関連するテレビ番組を、映像録画装置のコマンドインターフェースを考慮することなく、遠隔地から録画指示することのできる番組録画システム、番組録画方法、及び、映像録画装置に録画の指示を遠隔地から行うときに利用するサーバを提供できる。
【発明を実施するための最良の形態】
【００２９】
ここから、本発明について図を参照しながら詳細に説明する。図１は、ワンセグを利用した番組録画システム１を説明する図である。
【００３０】
図１に図示したように、地上波デジタルの一つのサービスであるワンセグを利用した番組録画システム１は、ワンセグでテレビ番組を提供する放送局４と、ワンセグを受信する機能を備えた携帯型受信機である携帯電話２と、テレビ番組を録画する映像録画装置５と、携帯電話２から送信される番組データを映像録画装置５が解釈できるフォーマットに変換するサーバ３とから構成される。
なお、携帯電話２、映像録画装置５及びサーバ３はインターネット７に接続され、相互でデータの送受信が可能である。
【００３１】
放送局４からは、地上デジタルテレビ放送のサービスの一つであるワンセグを利用して地上デジタルテレビ放送のテレビ番組が提供され、更に、ワンセグのデータ放送では、テレビ番組に関連し、ＢＭＬ(Broadcast Markup Language)の形式で記述されたコンテンツが提供されている。
ユーザは携帯電話２を利用して、地上デジタルテレビ放送のテレビ番組とデータ放送で提供されるコンテンツを同時に閲覧することが可能である。
【００３２】
ワンセグのデータ放送で提供されるコンテンツには、地上デジタルテレビ放送で放送されるテレビ番組の番組データが含まれ、ユーザが携帯電話２を用いてテレビ番組を視聴しているときに、携帯電話２で所定の操作を行うと、データ放送に含まれる番組データが記述された電子メール６０（以下、番組メール６０）がサーバ３へ送信される。
【００３３】
番組メール６０が送信されるサーバ３は、ユーザを識別するデータ（例えば、携帯電話２のメールアドレス）に関連付けて、ユーザが所持している映像録画装置５の型式、テレビ番組の録画の指示を遠隔操作で行うときの映像録画装置のコマンドインターフェース、及び、映像録画装置５のメールアドレスなどが記述されたプロファイルを記憶している。
【００３４】
サーバ３が携帯電話２から番組メール６０を受信すると、サーバ３は、番組メール６０を送信した携帯電話２に対応するプロファイルを検索し、検索したプロファイルに従い、携帯電話２から送信された番組メール６０に記述された番組データから、映像録画装置５のコマンドインターフェースに適合し、テレビ番組の録画を指示するための電文が記述された電子メール６１（以下、録画指示メール６１）を生成し、生成した録画指示メール６１を映像録画装置５に送信する。
【００３５】
映像録画装置５は、サーバ３から録画指示メール６１を受信すると、録画指示メール６１を受信した内容を示す電子メール６２（以下、レシートメール６２）をユーザの携帯電話２に送信すると共に、録画指示メール６１に従いテレビ番組を録画する。
【００３６】
図２は、図１で図示した番組録画システム１のブロック図である。図２を参照しながら、番組録画システム１の各構成要素を詳細に説明する前に、ワンセグのデータ放送のコンテンツについて説明する。
【００３７】
上述しているようにデータ放送のコンテンツはＢＭＬで記述され、このコンテンツには、ニュースや天気予報などのデータに加え、<script>タグを用いて、Jacascriptを拡張したECMAScriptのスクリプトが記述され、本実施の形態において、上述している番組メール６０を生成するためのスクリプトとして、サーバ３のメールアドレスを宛先とし、番組データを本文とした番組メール６０を生成するスクリプトが記述されている。
【００３８】
スクリプトが実行するときのパラメータの一つとして、データ放送のコンテンツには、放送されているテレビ番組の番組データが記述される。番組データは、ユーザが視聴しているテレビ番組の番組データであってもよいが、ユーザがテレビ番組の宣伝を視聴しているときは、宣伝しているテレビ番組の番組データとすることもできる。
【００３９】
図３は、スクリプトのパラメータとして記述されている番組データを説明する図である。図３においては、番組データとして、テレビ番組のチャンネル（図３では、Ｃｈ１）、テレビ番組が放送される年（図３では、２００６年）、放送される月（図３では、１１月）、放送される日（図では、１２日）、放送の開始時刻（図３では、２１：００）、放送の終了時刻（図３では、２２：００）、そして、テレビ番組の名前（図３では、ニュース２１）が記述されている。
【００４０】
テレビ番組を録画するとき、スクリプトのパラメータとして記述されている番組データは、携帯電話２によって読取られ、番組メール６０としてサーバ３に送信される。
【００４１】
次に、ユーザが所持する携帯電話２について説明する。携帯電話２には、ワンセグを受信するＴＶチューナ２２と、ワンセグのテレビ番組やデータ放送のコンテンツを視聴するきに利用するプログラムであるＢＭＬブラウザ２０と、電子メールを送信するメーラ２１と、データを表示するディスプレイ２３と、十字キーなどの操作ボタン２４が備えられている。
【００４２】
ＢＭＬブラウザ２０は、ワンセグのテレビ番組を受信中に所定の操作が実行されたとき、ワンセグの放送からテレビ番組を特定する番組データを取得する手段となり、データ放送のコンテンツを記述しているＢＭＬを解釈・実行する機能を備え、ＢＭＬブラウザ２０は、データ放送のコンテンツに含まれるＢＭＬを解釈し、ワンセグのテレビ番組とデータ放送のコンテンツを携帯電話２の画面の所定位置に表示させる。
【００４３】
図４は、ＢＭＬブラウザ２０が起動し、ワンセグのテレビ番組を受信しているときに、携帯電話２のディスプレイ２３に表示されるデータを説明する図である。
携帯電話２のディスプレイ２３には、テレビ番組を表示するエリア２３０と、データ放送のコンテンツを表示するエリア２３１が設けられ、エリア２３１には、テレビ番組を録画するときに利用する番組録画ボタン２３２が表示される。
【００４４】
データ放送のコンテンツの番組録画ボタン２３２には、スクリプトが関連付けられ、ユーザが携帯電話２の操作ボタン２４（例えば、十字キー）を操作し、番組録画ボタン２３２を選択・決定すると、ＢＭＬブラウザ２０は番組録画ボタン２３２に関連付けられたスクリプトを解釈・実行する。
【００４５】
番組録画ボタン２３２が選択・決定され、データ放送のコンテンツに含まれるスクリプトが実行すると、ＢＭＬブラウザ２０は、スクリプトのパラメータとして記述されている番組データを本文とし、サーバ３のメールアドレスを宛先とするようにメーラ２１を起動させ、番組データが記述された番組メール６０を生成する。
【００４６】
図５は、番組メール６０を説明する図である。番組メール６０の宛先は、サーバ３のメールアドレスで、番組メール６０の本文には、データ放送のコンテンツに含まれる番組データそのものが記述されている。なお、番組メール６０のタイトルは任意でよい。
【００４７】
ＢＭＬブラウザ２０によって生成された番組メール６０は、ユーザがメーラ２１を操作することで、携帯電話２からサーバ３に送信され、サーバ３によって処理される。
【００４８】
なお、映像録画装置５の録画モードをユーザが指定したいときは、映像録画装置５の録画モードを示す録画モードデータをＢＭＬブラウザ２０は記憶し、番組データに加え、記憶している録画モードデータを番組メール６０に記述することもできる。
【００４９】
携帯電話２から送信される番組メール６０を処理するサーバ３は、ユーザのプロファイルを記憶したプロファイルＤＢ（DB: DataBase）３１と、携帯電話２から番組メール６０で送信される番組データを、映像録画装置５のコマンドインターフェースに適した電文に変換する手段としてデータ変換部３０を備える。
【００５０】
サーバ３に備えられたプロファイルＤＢ３１はハードディスクなどのデータ記憶装置を利用して実現され、データ変換部３０は、データ変換部３０としてサーバ２のＣＰＵを機能させるためのコンピュータプログラムで実現される。
【００５１】
図６は、サーバ３に備えられたプロファイルＤＢ３１の構造を説明する図である。図６に図示したように、プロファイルＤＢ３１は、携帯電話２のメールアドレスに関連付けて、ユーザが所持している映像録画装置５のメールアドレス、映像録画装置５のメーカ・型式、そして、映像録画装置５のコマンドインターフェースに適合した電文に番組データを変換する関数の関数名が記憶される。
【００５２】
図７は、映像録画装置５のコマンドインターフェースに適合した電文に番組データを変換する関数を説明する図で、図８は、関数の変数を説明する図である。
例えば、録画指示メール６１の本文は、携帯電話２の番組メール６０に記述された番組データから、図７の関数を用いて生成される。
【００５３】
図８は、図７の関数の変数を説明する図で、図７の先頭の「open」は固定で録画指示メール６１の本文の先頭に入れる文字列である。次の「password」は映像録画装置５に設定されたパスワードで、予めプロファイルに記憶してもよく、また、携帯電話２から送信される番組データに含ませておいてもよい。
【００５４】
次の「year」、「month」、「date」、「start」、「end」及び「station」は、それぞれ、テレ番組を録画する西暦、月、日、開始時刻、終了時刻及び放送チャンネルで、これらの値は、番組データの「year」、「month」、「date」、「start」、「end」及び「station」の値にそれぞれ対応している。
なお、図７（ａ）において、「“  ”」は一文字の空白を挿入することを意味している。
【００５５】
図９に、録画指示メール６１の本文の一例を示す。図８は、図３で示した番組データから、図７の関数を用いて生成される録画指示メール６１である。図３で図示した番組データの中で、year="2006"、month="11"、date="12"、start=21:00、end="22:00"及びstation="Ch1"のそれぞれの値が、図７の関数に代入されて、図９に図示した録画指示メール６１の本文が得られる。
【００５６】
サーバ３は、携帯電話２から番組メール６０を受信すると、データ変換部３０が作動し、データ変換部３０は、番組メール６０を送信した携帯電話２のメールアドレスをキーとして、プロファイルＤＢ３１の中からプロファイルを検索し、検索したプロファイルで示される関数を用いて、上述したように番組データから録画指示メール６１を生成し、検索したプロファイルに記述されている映像録画装置５のメールアドレスに、生成した録画指示メール６１を送信する。
【００５７】
なお、映像録画装置５の録画モードを示す録画モードデータが番組メール６０に記述するときは、映像録画装置５のコマンドインターフェースに適合した電文に番組データを変換する関数に、録画モードデータを映像録画装置５のコマンドインターフェースに適合した電文に変換する内容が記述され、録画指示メール６１には、テレビ番組を示す電文に加え、録画モードを示す電文が記述される。
【００５８】
映像録画装置５は、サーバ３から録画指示メール６１を受信すると、受信した録画指示メール６１の本文の内容を解釈し、録画指示メール６１を受信したことを示すレシートメール６２を携帯電話２に送信し、録画指示メール６１の電文に従いテレビ番組を録画する。
【００５９】
なお、録画指示メール６１に、テレビ番組を示す電文に加え、録画モードを示す電文が記述されているとき、映像録画装置５は、電文で指定される録画モードでテレビ番組を録画する。
【００６０】
ここから、これまで説明した番組録画システム１の一連の動作について説明する。番組録画システム１の一連の動作の説明は、番組録画方法の説明も兼ねている。
【００６１】
図１０は、番組録画システム１の一連の動作を示したフロー図である。この動作の最初のステップＳ１は、携帯電話２が、ワンセグのテレビ番組とデータ放送のコンテンツを受信するステップである。
【００６２】
このステップで、携帯電話２は、ＢＭＬブラウザ２０が起動することで、ワンセグのテレビ番組とデータ放送のコンテンツを受信し、ワンセグのテレビ番組とデータ放送のコンテンツはディスプレイ２３に表示される。
上述しているように、携帯電話２が受信しているデータ放送のコンテンツには、番組メール６０を生成するためのスクリプトが記述されている。
【００６３】
次のステップＳ２は、録画の指示するテレビ番組の内容が記述された番組メール６０を生成し、生成した番組メール６０をサーバ３に送信するステップである。
【００６４】
このステップで、例えば、携帯電話２の操作ボタン２４を操作し、図４の番組録画ボタン２３２を選択・決定すると、データ放送のコンテンツに記述されたスクリプトが起動し、ＢＭＬブラウザ２０は、データ放送のコンテンツに記述された番組データを本文とする番組メール６０を生成し、生成した番組メール６０はメーラ２１によってサーバ３に送信される。
【００６５】
次のステップＳ３は、番組メール６０を送信した携帯電話２に対応するプロファイルを検索するステップである。
このステップで、サーバ３のデータ変換部３０は、携帯電話２から番組メール６０を受信すると、番組メール６０を送信した携帯電話２のメールアドレスをキーとして、プロファイルＤＢ３１の中からプロファイルを検索する。
【００６６】
次のステップＳ４は、番組メール６０に記述された番組データを映像録画装置５のコマンドインターフェースに適合した電文に変換し、録画指示メール６２を映像録画装置５に送信するステップである。
【００６７】
このステップで、サーバ３のデータ変換部３０は、ステップＳ３で検索したプロファイルに従い、番組メール６０に記述された番組データを映像録画装置５のコマンドインターフェースに適合した電文に変換し、電文を本文とする録画指示メール６１を生成する。
なお、生成した録画指示メール６１は、ステップＳ３で検索したプロファイルで示される映像録画装置５のメールアドレスに送信される。
【００６８】
次のステップＳ５は、録画指示メール６１を受信したことを示すレシートメール６２を、映像録画装置５が携帯電話２に送信するステップである。
【００６９】
このステップでは、映像録画装置５はサーバ３から録画指示メール６１を受信すると、録画指示メール６１を正常に受信したことを示すレシートメール６２を携帯電話２に送信する。
なお、レシートメール６２を送信する携帯電話２のメールアドレスは、予め映像録画装置５に設定されている。
【００７０】
次のステップＳ６は、テレビ番組が録画されるステップで、このステップでは、映像録画装置５は、ステップＳ５で受信した録画指示メール６１の内容に従い、テレビ番組を録画する。
【００７１】
なお、本発明は、これまで説明した実施の形態に限定されることなく、種々の変形や変更が可能であって、それらも本発明の均等の範囲内である。
【００７２】
上述した実施の形態では、テレビ番組を映像録画装置５に録画させるための電文の送信に電子メールを用いているが、ＶＰＮ（VPN:Virtual PrivateNetwork）を利用して、サーバ３と映像録画装置５とが直接接続できる環境を作り、電子メールを用いずに、テレビ番組を映像録画装置５に録画させるための電文をサーバ３から映像記憶装置５へ送信してもよい。
【００７３】
また、上述した実施の形態では、携帯電話２が番組メール６０を生成するために、データ放送のコンテンツに、携帯電話２が番組メール６０を生成するためのスクリプトを記述していたが、データ放送のコンテンツに、携帯電話２が番組メール６０を生成するためのスクリプトを記述せず、番組メール６０を生成する機能をＢＭＬブラウザ２０自身が有していてもよい。
【図面の簡単な説明】
【００７４】
【図１】ワンセグを利用した番組録画システムを説明する図。
【図２】番組録画システムのブロック図。
【図３】番組データを説明する図。
【図４】携帯電話のディスプレイに表示されるデータを説明する図。
【図５】番組メールを説明する図。
【図６】サーバに備えられたプロファイルＤＢの構造を説明する図。
【図７】映像録画装置のコマンドインターフェースに適合した電文に番組データを変換する関数を説明する図。
【図８】関数の変数を説明する図。
【図９】録画指示メールの本文の一例を示した図。
【図１０】番組録画システムの一連の動作を示したフロー図。
【符号の説明】
【００７５】
１  ワンセグを利用した番組録画システム
２  携帯電話
２０  ＢＭＬブラウザ、２１  メーラ、２３  ディスプレイ、２４  操作ボタン
３  サーバ
３０  データ変換部、３１  プロファイルＤＢ
４  放送局
５  映像録画装置
６０  番組メール、６１  録画指示メール、６２  レシートメール
７  インターネット
【図１】
2008153872.tif 000003
【図２】
2008153872.tif 000004
【図３】
2008153872.tif 000005
【図４】
2008153872.tif 000006
【図５】
2008153872.tif 000007
【図６】
2008153872.tif 000008
【図７】
2008153872.tif 000009
【図８】
2008153872.tif 000010
【図９】
2008153872.tif 000011
【図１０】
2008153872.tif 000012